(57)【要約】      （修正有）【課題】審美性に優れるとともに耐久性に優れる時計用文字板を提供する。また、時計用文字板を備えた時計を提供する。【解決手段】時計用文字板１０は、樹脂を含む材料で構成され、樹脂が改質した改質部１１が設けられた文字板本体１を有する。改質部１１は、樹脂の炭化物で構成されているのが好ましい。文字板本体１の縦断面で、改質部１１は、法線方向に対して傾斜して設けられているのが好ましい。改質部１１の法線方向に対する傾斜角度は、１５°以上８０°以下であるのが好ましい。【選択図】図２
2019168299.tif 000002
【特許請求の範囲】
【請求項１】
樹脂を含む材料であり、前記樹脂が改質した改質部が設けられた文字板本体を有することを特徴とする時計用文字板。
【請求項２】
前記改質部は、前記樹脂の炭化物であることを特徴とする請求項１に記載の時計用文字板。
【請求項３】
前記改質部は、レーザー加工により前記文字板本体に設けられたことを特徴とする請求項１または２に記載の時計用文字板。
【請求項４】
前記改質部は、前記文字板本体の一方の面である第１の面から他方の面である第２の面まで設けられていることを特徴とする請求項１ないし３のいずれか１項に記載の時計用文字板。
【請求項５】
前記文字板本体の縦断面で、前記改質部は、前記文字板本体の表面の法線方向に対して傾斜して設けられていることを特徴とする請求項１ないし４のいずれか１項に記載の時計用文字板。
【請求項６】
前記改質部は、前記文字板本体の裏面側から表面側に向けて、前記法線方向よりも１２時方向側に傾斜して設けられている部位を有していることを特徴とする請求項５に記載の時計用文字板。
【請求項７】
前記改質部は、黒色を呈するものであることを特徴とする請求項１ないし６のいずれか１項に記載の時計用文字板。
【請求項８】
時計用文字板は、前記文字板本体に植字が設けられたものであることを特徴とする請求項１ないし７のいずれか１項に記載の時計用文字板。
【請求項９】
請求項１ないし８のいずれか１項に記載の時計用文字板を備えることを特徴とする時計。
【発明の詳細な説明】
【技術分野】
【０００１】
本発明は、時計用文字板および時計に関する。
【背景技術】
【０００２】
時計用文字板には、視認性等の実用性が求められるとともに、装飾性（美的外観）も求められる。特に、太陽電池を備えたソーラー時計では、文字板（ソーラー時計用文字板）の下に太陽電池（ソーラーセル）が配置される場合に、文字板について、優れた光透過性等とともに、装飾品としての装飾性（美的外観）が求められる。
【０００３】
具体的には、ソーラー時計用文字板は、光透過性に関して、時計を駆動するのに十分な量の光を、その下部に配置された太陽電池に透過して供するものである一方、装飾品としての装飾性も求められる。
【０００４】
太陽電池が文字板を介して透けて見えてしまうのを防止することを試みたソーラー時計用文字板としては、金属膜に小孔を形成したものが提案されている（例えば、特許文献１参照）。
【先行技術文献】
【特許文献】
【０００５】
【特許文献１】特開２００２−４０９５２号公報
【発明の概要】
【発明が解決しようとする課題】
【０００６】
しかしながら、このような文字板では、黒色の外観を得ることができない。
また、例えば、黒色の印刷層を設けることにより黒色のパターンを形成することも考えられるが、このような場合、黒色の印刷層が剥離することも考えられる。
【課題を解決するための手段】
【０００７】
本発明は、上述の課題を解決するためになされたものであり、以下の適用例として実現することができる。
【０００８】
本発明の適用例に係る時計用文字板は、樹脂を含む材料で構成され、前記樹脂が改質した改質部が設けられた文字板本体を有する。
【図面の簡単な説明】
【０００９】
【図１】本発明の時計用文字板の第１実施形態を示す模式的な平面図である。
【図２】図１に示す時計用文字板の模式的なＡ−Ａ線断面図（縦断面図）である。
【図３】本発明の時計用文字板の第２実施形態を示す模式的な平面図である。
【図４】図３に示す時計用文字板の模式的なＡ−Ａ線断面図（縦断面図）である。
【図５】本発明の時計（腕時計）の好適な実施形態を示す部分断面図である。
【図６】本発明の時計用文字板の他の実施形態を示す模式的な平面図である。
【発明を実施するための形態】
【００１０】
以下、本発明の好適な実施形態について、添付図面を参照しつつ説明する。
＜時計用文字板＞
まず、本発明の時計用文字板の好適な実施形態について説明する。
【００１１】
《第１実施形態》
図１は、本発明の時計用文字板の第１実施形態を示す模式的な平面図、図２は、図１に示す時計用文字板の模式的なＡ−Ａ線断面図（縦断面図）である。以下の説明では、図２中の下側を「下」、「下側」または「下部」とし、図２中の上側を「上」、「上側」または「上部」とし、図２中の左側を「１２時方向」とし、図２中の右側を「６時方向」とする。後に説明する図４についても同様である。
【００１２】
時計用文字板１０は、文字板本体１と、植字２とを備えている。
そして、文字板本体１は、樹脂を含む材料で構成されており、当該樹脂が改質した改質部１１が設けられている。
【００１３】
このように改質部１１を設けることにより、文字板本体１の他の部位とは異なる色調を表現することができ、時計用文字板１０全体としての審美性を優れたものとすることができる。
【００１４】
特に、改質部１１は、文字板本体１に外付けされるのではなく、文字板本体１の内部に設けられるため、塗装や印刷層、メッキ層等とは異なり、不本意な剥離等が生じない。したがって、長期間にわたって安定的に優れた審美性を保持することができるとともに、急激な温度変化等が生じた場合でも、安定的に優れた審美性を保持することができ、時計用文字板１０全体としての耐久性が優れたものとなる。
【００１５】
また、後に詳述するように、改質部１１は、レーザー光の照射により、容易に所望のパターンで形成することができるため、時計用文字板１０の生産性向上の観点からも有利である。
【００１６】
また、多品種の時計用文字板１０を製造するのにも有利である。
また、改質部１１のパターンを調整することにより、時計用文字板１０の審美性を優れたものとしつつ、光の透過性も好適に調整することができる。このため、例えば、時計用文字板１０をソーラー時計用文字板に好適に適用することができる。
【００１７】
［文字板本体］
文字板本体１は、時計用文字板１０の大部分を占めるものであり、板状、特に円板状をなしている。
【００１８】
文字板本体１には、針（指針）の回転軸が挿通される軸挿通孔１５が設けられている。また、文字板本体１には、時計（腕時計）の状態で、カレンダー表示部（日車）を介部から視認可能にするカレンダー窓１６が設けられている。
この文字板本体１は、樹脂を含む材料で構成されている。
【００１９】
文字板本体１を構成する樹脂材料としては、各種熱可塑性樹脂、各種熱硬化性樹脂が挙げられ、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。中でも、文字板本体１を構成する樹脂材料としては、ポリスチレン、ポリカーボネート（ＰＣ）、ポリエチレンテレフタレート（ＰＥＴ）、が好ましい。
【００２０】
特に、文字板本体１を構成する樹脂がポリスチレンであると、黒色度がより高い改質部１１を容易に形成することができ、時計用文字板１０の審美性をより優れたものとすることができる。特に、時計用文字板１０の背面（下面）に太陽電池が配されるソーラー時計において、太陽電池が時計全体の外観に悪影響を与えることをより効果的に防止することができ、時計全体としての審美性をより優れたものとすることができる。
【００２１】
また、文字板本体１を構成する樹脂がポリカーボネートであると、黒色度が十分に高い改質部１１を容易に形成することができるとともに、時計用文字板１０の強度をより優れたものとすることができる。このようなことから、より高いレベルで、審美性と耐久性とを両立することができる。
【００２２】
文字板本体１は、樹脂以外の成分（その他の成分）を含むものであってもよい。
このような成分としては、例えば、可塑剤、酸化防止剤、着色剤（各種発色剤、蛍光物質、りん光物質等を含む）、光沢剤、フィラー等が挙げられる。
【００２３】
ただし、文字板本体１中における樹脂の含有率は、６０質量％以上であるのが好ましく、７０質量％以上であるのがより好ましく、８０質量％以上であるのがさらに好ましい。
【００２４】
改質部１１は、文字板本体１を構成する前記樹脂が改質した部位である。
改質部１１は、文字板本体１の改質されていない部位（改質されていない前記樹脂）とは異なる色調を呈する。
【００２５】
改質部１１は、いかなる色を呈するものであってもよいが、黒色、暗色または灰色であるのが好ましく、黒色または暗色であるのがより好ましく、黒色であるのがさらに好ましい。ここで、暗色の例としては、濃紺、紺色、こげ茶色、紫色、濃い灰色（チャコールグレー）が挙げられる。
【００２６】
これにより、金属膜では表現することが困難な色調の審美性に優れた時計用文字板１０を提供することができる。特に、時計用文字板１０をソーラー時計に適用した場合（時計用文字板１０の背面に太陽電池を配置した場合）に、太陽電池がソーラー時計全体としての外観に悪影響を与えるのを効果的に防止し、ソーラー時計全体としての審美性をより優れたものとすることができる。より具体的には、改質部を設けなかった場合や改質部を設ける代わりに金属膜に小孔を設けた場合には、太陽電池の形状やセルが文字板の表面側から視認されてしまい、外観に悪影響を与えるのに対し、上記のような改質部１１を設けることにより、このような問題の発生を効果的に防止することができる。
【００２７】
なお、本明細書において、黒色とは、ＪＩＳ  Ｚ  ８７２９で規定されるＬ＊ａ＊ｂ＊表示の色度図において、ａ＊が−１０以上１０以下であり、かつ、ｂ＊が−１０以上１０以下であり、Ｌ＊が０以上１５未満である範囲に含まれる色のことをいう。また、本明細書において、灰色とは、ＪＩＳ  Ｚ  ８７２９で規定されるＬ＊ａ＊ｂ＊表示の色度図において、ａ＊が−１０以上１０以下であり、かつ、ｂ＊が−１０以上１０以下であり、Ｌ＊が１５以上６０以下である範囲に含まれる色のことをいう。
【００２８】
改質部１１は、前記樹脂が改質（変質）した部位であればよく、改質の形態は特に限定されず、例えば、微小クラックによるもの等であってもよいが、前記樹脂が炭化することにより形成されたものであるのが好ましい。言い換えると、改質部１１は、前記樹脂の炭化物で構成されているのが好ましい。
【００２９】
これにより、改質部１１が黒色、暗色または灰色の外観（特に、黒色の外観）を呈するものとなり、前述した効果がより顕著に発揮される。また、文字板本体１全体に占める改質部１１の割合が比較的低い場合であっても、黒色の外観を好適に得ることができる。また、前記樹脂の炭化物で構成される改質部１１は、文字板本体１全体としての物性の低下等を効果的に防止しつつ、容易に形成することができる。
【００３０】
改質部１１は、いかなる方法で形成されたものであってもよいが、例えば、レーザー加工（レーザー光の照射）により形成されたものであるのが好ましい。
【００３１】
これにより、例えば、樹脂の炭化物で構成された改質部１１を容易かつ確実に形成することができる。また、形成すべき改質部１１の幅が比較的小さい部分を有するものであっても、所望の形状の改質部１１を容易に形成することができる。また、文字板本体１の厚さ方向における焦点の位置を好適に調整することができ、例えば、文字板本体１の厚さ方向の所定の部位のみ（例えば、表面に露出していない内部の領域のみ等）に改質部１１を選択的に形成することができる。また、レーザー光の照射により改質部１１を形成する場合、文字板本体１へのダメージが小さく、物性の劣化等を効果的に防止することができる。
【００３２】
改質部１１の形成に用いることのできるレーザー光は、特に限定されないが、ＹＡＧレーザー（５３２ｎｍ）であるのが好ましい。
【００３３】
これにより、文字板本体１へのダメージを抑制しつつ、黒色度の高い改質部１１をより容易に形成することができる。
【００３４】
改質部１１は、文字板本体１の少なくとも一部に設けられていればよく、例えば、厚さ方向の一部にのみ選択的に設けられていてもよいが、本実施形態では、改質部１１は、文字板本体１の一方の面（上面）である第１の面１３から他方の面（下面）である第２の面１４まで設けられている。
【００３５】
これにより、文字板本体１全体に占める改質部１１の割合を抑制しつつ、時計用文字板１０の外観上、改質部１１が設けられた部位の色濃度（例えば、黒色度）をより高いものとすることができる。また、時計用文字板１０をソーラー時計に適用する場合に、時計用文字板１０の背面に配される太陽電池が時計全体としての外観に悪影響を与えることをより効果的に防止しつつ、時計用文字板１０についての光の透過性をより優れたものとすることができる。
【００３６】
また、本実施形態では、図２に示すように、文字板本体１の縦断面で、改質部１１は、文字板本体１の表面（第１の面１３）の法線方向に対して傾斜して設けられている。
【００３７】
これにより、文字板本体１全体に占める改質部１１の割合を抑制しつつ、時計用文字板１０の外観上、改質部１１が設けられた部位の色濃度（例えば、黒色度）をさらに高いものとすることができる。また、時計用文字板１０をソーラー時計に適用する場合に、時計用文字板１０の背面に配される太陽電池が時計全体としての外観に悪影響を与えることをさらに効果的に防止しつつ、時計用文字板１０についての光の透過性をさらに優れたものとすることができる。
【００３８】
文字板本体１の第１の面１３の法線方向に対する改質部１１の傾斜角度は、１５°以上８０°以下であるのが好ましく、２０°以上７０°以下であるのがより好ましく、３０°以上５０°以下であるのがさらに好ましい。
これにより、前述した効果がより顕著に発揮される。
【００３９】
本実施形態では、改質部１１は、文字板本体１の第２の面１４（裏面）側から第１の面１３（表面）側に向けて、文字板本体１の第１の面１３の法線方向よりも１２時方向側（３時方向と９時方向とを結ぶ直線よりも上側）に傾斜して設けられている部位を有している。
【００４０】
例えば、掛け時計は、観察者の目線よりも高い位置に設置されることが多く、また、腕時計は、手の甲側に文字板が向くように装着されることが一般的であり、観察者が文字板を視認する際、通常、文字板の法線方向よりも６時側（３時方向と９時方向とを結ぶ直線よりも下側）に傾いた方向から視認することが多い。このようなことから、改質部１１が文字板本体１の法線方向よりも１２時方向側に傾斜して設けられている部位を有していることより、時計の使用時において、時計用文字板１０の背面側の様子が観察者に不本意に視認されてしまうことをより効果的に防止することができ、時計用文字板１０を備える時計全体としての審美性をより優れたものとすることができる。特に、時計用文字板１０を備える時計が太陽電池を備えるソーラー時計である場合に、当該ソーラー時計の使用時に、時計用文字板１０の背面側に配される太陽電池が不本意に視認されてしまうことをより効果的に防止することができるとともに、前記太陽電池への光の到達率（時計用文字板１０の光の透過性）を十分に優れたものとすることができ、例えば、光の照射量が比較的少ない場合であっても、太陽電池の発電電力による二次電池の充電をより効率よく行うことができる。
【００４１】
なお、図示の構成では、改質部１１は、３時方向と９時方向とを結ぶ直線と平行な方向に延在しているが、これに限らず、例えば、前記直線（３時方向と９時方向とを結ぶ直線）とは平行でない方向に延在していてもよい。
【００４２】
また、本実施形態では、改質部１１は、時計用文字板１０の縦断面で線状となるように設けられている。
【００４３】
これにより、例えば、改質部１１をレーザー光の照射により好適に形成することができる。また、文字板本体１中における改質部１１の割合が比較的少ない場合でも、上述したような改質部１１を設けることによる効果をより顕著に発揮させることができる。
【００４４】
本実施形態のように、改質部１１を時計用文字板１０の縦断面で線状となるように設ける場合、改質部１１の幅Ｗは、５μｍ以上１０００μｍ以下であるのが好ましく、１０μｍ以上５００μｍ以下であるのがより好ましい。
これにより、前述したような効果がより顕著に発揮される。
【００４５】
また、本実施形態では、改質部１１が複数の平行な直線状（特に、３時方向と９時方向とを結ぶ直線に平行な複数の直線状）に設けられている。
【００４６】
このような構成であると、複数の直線状の改質部１１が、文字板本体１の法線方向よりも１２時方向側（３時方向と９時方向とを結ぶ直線よりも上側）に傾斜するように設けられることにより、前述したような効果がより顕著に発揮される。また、直線状の改質部１１の長手方向に沿って、隣り合う直線状の改質部１１の間隔が変化することによる審美性の低下を防止することができる。
【００４７】
また、本実施形態のように、時計用文字板１０の縦断面で線状の改質部１１が繰り返し存在するように配されている場合、改質部１１のピッチ（改質部１１以外の部位の幅の最小値）Ｐは、２．５μｍ以上３０００μｍ以下であるのが好ましく、１０μｍ以上１０００μｍ以下であるのがより好ましい。
【００４８】
これにより、文字板本体１全体に占める改質部１１の割合を比較的低いものとしつつ、前述したような改質部１１を設けることによる効果をより顕著に発揮させることができる。
【００４９】
文字板本体１中に占める改質部１１の割合は、２５体積％以上６７体積％以下であるのが好ましく、３３体積％以上５０積％以下であるのがより好ましい。
【００５０】
これにより、文字板本体１の物性の低下等を防止しつつ、前述したような改質部１１を設けることによる効果をより顕著に発揮させることができる。
【００５１】
また、時計用文字板１０が、ソーラー時計用文字板として用いられるものである場合、文字板本体１についての波長５９０ｎｍの光の透過率（透過率が最大となる方向から当該光を照射した場合の透過率）は、５％以上７０％以下であるのが好ましく、７％以上５０％以下であるのがより好ましく、１０％以上４０％以下であるのがさらに好ましい。
【００５２】
これにより、時計用文字板１０の審美性の向上と太陽電池による発電効率とを、より高いレベルで両立することができる。
【００５３】
文字板本体１の厚さは、特に限定されないが、２００μｍ以上７００μｍ以下であるのが好ましく、３００μｍ以上６００μｍ以下であるのがより好ましい。
【００５４】
これにより、時計用文字板１０が適用される時計が、厚型化するのを効果的に防止しつつ、時計用文字板１０の機械的強度、形状の安定性等を特に優れたものとすることができる。
【００５５】
［植字］
本実施形態では、時計用文字板１０は、文字板本体１に植字２（インデックス）が形成されたものである。
【００５６】
このような植字２を有することにより、例えば、時刻の視認性を向上させることができる。また、例えば、時計用文字板１０の立体感、質感等を向上させ、時計用文字板１０全体としての審美性、時計用文字板１０を備える時計の審美性をさらに優れたものとすることができる。
【００５７】
なお、図示の構成では、インデックス（植字）２は、文字板本体１に対し別部材を固定したものであるが（図２参照）、文字板本体１に一体的に形成されたものであってもよい。また、植字２の他の構成例としては、植字２そのものまたは植字２の縁部（輪郭）を前述したのと同様の改質部で構成して、視認可能にしたものが挙げられる。この場合、当該改質部も、前述した改質部１１と同様に、レーザー光の照射により好適に形成することができる。
【００５８】
図示の構成では、植字２は、時字であるが、時計用文字板１０は、時字以外の植字（例えば、ロゴマーク等）を備えるものであってもよい。
【００５９】
《第２実施形態》
図３は、本発明の時計用文字板の第２実施形態を示す模式的な平面図、図４は、図３に示す時計用文字板の模式的なＡ−Ａ線断面図（縦断面図）である。
【００６０】
以下、これらの図を参照して本実施形態の時計用文字板について説明するが、前述した実施形態との相違点を中心に説明し、同様の事項はその説明を省略する。
【００６１】
本実施形態では、時計用文字板１０を平面した際に、改質部１１は、同心円状に設けられている。
これにより、前述した実施形態とは異なる視覚的効果が得られる。
【００６２】
なお、時計用文字板１０を平面視した際に改質部１１が渦巻き状に設けられている場合にも、図３に示す構成の場合と同様の視覚的効果が得られる。
【００６３】
＜時計＞
次に、本発明の時計の好適な実施形態について説明する。
【００６４】
本発明の時計は、上述したような本発明の時計用文字板を備えるものである。
これにより、審美性に優れるとともに、信頼性に優れた時計を提供するこができる。
【００６５】
なお、本発明の時計は、本発明の時計用文字板を備えるものであればよく、それ以外の部品としては、公知のものを用いることができるが、以下に、本発明の時計の構成の一例について説明する。
【００６６】
図５は、本発明の時計（腕時計）の好適な実施形態を示す部分断面図である。
図５に示すように、本実施形態の腕時計（携帯時計）１００は、胴（ケース）８２と、裏蓋８３と、ベゼル（縁）８４と、ガラス板（カバーガラス）８５とを備えている。また、ケース８２内には、前述したような本発明の時計用文字板１０と、太陽電池９４と、ムーブメント８１とが収納されており、さらに、図示しない針（指針）等が収納されている。
【００６７】
ガラス板８５は、通常、透明性の高い透明ガラスやサファイア等で構成されている。これにより、本発明の時計用文字板１０の審美性を十分に発揮させることができるとともに、太陽電池９４に十分な光量の光を入射させることができる。
ムーブメント８１は、太陽電池９４の起電力を利用して、指針を駆動する。
【００６８】
図５中では省略しているが、ムーブメント８１内には、例えば、太陽電池９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
【００６９】
また、ムーブメント８１は、図示しない電波受信用のアンテナを備えている。そして、受信した電波を用いて時刻調整等を行う機能を有している。
【００７０】
太陽電池９４は、光エネルギーを電気エネルギーに変換する機能を有する。そして、太陽電池９４で変換された電気エネルギーは、ムーブメントの駆動等に利用される。
【００７１】
太陽電池９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００７２】
胴８２には巻真パイプ８６が嵌入・固定され、この巻真パイプ８６内にはりゅうず８７の軸部８７１が回転可能に挿入されている。
【００７３】
胴８２とベゼル８４とは、プラスチックパッキン８８により固定され、ベゼル８４とガラス板８５とはプラスチックパッキン８９により固定されている。
【００７４】
また、胴８２に対し裏蓋８３が嵌合（または螺合）されており、これらの接合部（シール部）９３には、リング状のゴムパッキン（裏蓋パッキン）９２が圧縮状態で介挿されている。この構成によりシール部９３が液密に封止され、防水機能が得られる。
【００７５】
りゅうず８７の軸部８７１の途中の外周には溝８７２が形成され、この溝８７２内にはリング状のゴムパッキン（りゅうずパッキン）９１が嵌合されている。ゴムパッキン９１は巻真パイプ８６の内周面に密着し、該内周面と溝８７２の内面との間で圧縮される。この構成により、りゅうず８７と巻真パイプ８６との間が液密に封止され防水機能が得られる。なお、りゅうず８７を回転操作したとき、ゴムパッキン９１は軸部８７１と共に回転し、巻真パイプ８６の内周面に密着しながら周方向に摺動する。
【００７６】
上記のような携帯時計（腕時計）は、各種時計の中でも特に優れた耐久性（例えば、耐衝撃性等）が求められるものであるため、優れた美的外観とともに、優れた耐久性が得られる本発明を、より好適に適用することができる。
【００７７】
また、上記のようなソーラー時計（太陽電池を備える時計）に適用される時計用文字板は、背面に太陽電池が配された状態で、優れた審美性を発揮することが要求されるとともに、背面に配置される太陽電池に十分な量の光が照射されるように、優れた光の透過性が要求されるが、本発明では、これらをより高いレベルで両立することができる。したがって、本発明による効果は、ソーラー時計用の文字板に適用した場合に、より顕著に発揮される。
【００７８】
なお、上記の説明では、時計の一例として、ソーラー時計としての腕時計（携帯時計）を挙げて説明したが、本発明は、腕時計以外の携帯時計（懐中時計等を含む）、置時計、掛け時計等の他の種類の時計にも同様に適用することができる。また、本発明に係る時計用文字板は、ソーラー時計以外の時計に適用されるものであってもよい。
【００７９】
以上、本発明の好適な実施形態について説明したが、本発明は上記のようなものに限定されるものではない。
【００８０】
例えば、本発明の時計用文字板、時計では、各部の構成は、同様の機能を発揮する任意の構成のものに置換することができ、また、任意の構成を付加することもできる。例えば、本発明に係る時計用文字板は、各種印刷法により形成された印刷部を有するものであってもよい。
【００８１】
また、前述した実施形態では、時計用文字板を平面視した際に、時計用文字板のほぼ全体を被覆するように改質部が設けられている場合について中心的に説明したが、改質部は、時計用文字板の一部のみを被覆するものであってもよい。時計用文字板を平面視したときに改質部で被覆されている面積の割合（被覆率）は、１０％以上であるのが好ましく、２０％以上であるのが好ましく、３０％以上であるのがさらに好ましい。
【００８２】
また、改質部のパターンは、前述した実施形態で説明したものに限らず、いかなるものであってもよい。例えば、図６に示すように、改質部１１は、文字板本体１を平面した際に、放射状に設けられたものであってもよい。この場合、例えば、放射状に設けられた改質部１１を時刻の視認性を高めるための指標として利用してもよい。
【００８３】
また、前述した実施形態では、改質部が文字板本体の各部位で同一のパターンで配置されている場合について中心的に説明したが、文字板本体は、改質部の配置パターンが互いに異なる複数の領域を有していてもよい。例えば、文字板本体は、改質部が放射状に設けられている領域と、複数の直線状の改質部が平行に配された領域とを有するものであってもよい。
【００８４】
また、前述した実施形態では、時計用文字板が、文字板本体に加え、文字板本体以外の構成（植字）を備える場合について代表的に説明したが、本発明の時計用文字板は、文字板本体のみで構成されていてもよい。このような場合でも、例えば、通常、植字等が担っている指標としての機能を、本発明では、所定のパターンで形成された改質部に担わせることができる。
【符号の説明】
【００８５】
１０…時計用文字板、１…文字板本体、１１…改質部、１３…第１の面、１４…第２の面、１５…軸挿通孔、１６…カレンダー窓、２…植字（インデックス）、９４…太陽電池、８１…ムーブメント、８２…胴（ケース）、８３…裏蓋、８４…ベゼル（縁）、８５…ガラス板（カバーガラス）、８６…巻真パイプ、８７…りゅうず、８７１…軸部、８７２…溝、８８…プラスチックパッキン、８９…プラスチックパッキン、９１…ゴムパッキン（りゅうずパッキン）、９２…ゴムパッキン（裏蓋パッキン）、９３…接合部（シール部）、１００…腕時計（携帯時計）、Ｗ…幅、Ｐ…ピッチ
【図１】
2019168299.tif 000003
【図２】
2019168299.tif 000004
【図３】
2019168299.tif 000005
【図４】
2019168299.tif 000006
【図５】
2019168299.tif 000007
【図６】
2019168299.tif 000008